(57)【要約】【課題】ランド及びグルーブにデータを記録する光ディスク及び光ディスク装置において、アドレス情報を確実に得る。【解決手段】光ディスク１０のグルーブ及びランドにウォブルが形成され、アドレス情報が埋め込まれる。グルーブにウォブルが同相となるグルーブトラックアドレス系とウォブルが逆相となる位置を含むランドトラックアドレス系が形成される。グルーブトラックアドレス系は２個重複形成され、システムコントローラ３２は復調アドレスが互いに一致するか否かを判定してエラーチェックを行う。【選択図】図１
2005108349.tif 000002
【特許請求の範囲】
【請求項１】
グルーブ及びランドをウォブルさせることでアドレス情報を埋め込み、グルーブ及びランドにデータを保持するディスクであって、
前記アドレス情報は、連続する２つのトラック番号の符号間距離が１となるグレーコードにバイナリデータが変換されて前記ウォブルに埋め込まれ、
前記グルーブのアドレス情報は、前記グルーブを形成する内周側ウォブルと外周側ウォブルの位相が同一である同相ウォブルから規定され、かつ、
前記グルーブのアドレス情報は、連続して複数個が重複して形成される
ことを特徴とするディスク。
【請求項２】
グルーブ及びランドをウォブルさせることでアドレス情報を埋め込み、グルーブ及びランドにデータを保持するディスクであって、
前記アドレス情報は、連続する２つのトラック番号の符号間距離が１となるグレーコードにバイナリデータが変換されて前記ウォブルに埋め込まれ、
前記ランドのアドレス情報は、前記ランドを形成する内周側ウォブルと外周側ウォブルの位相が同一である同相ウォブルから規定され、かつ、
前記ランドのアドレス情報は、連続して複数個が重複して形成される
ことを特徴とするディスク。
【請求項３】
グルーブ及びランドをウォブルさせることでアドレス情報を埋め込み、グルーブ及びランドにデータを保持するディスクであって、
前記アドレス情報は、連続する２つのトラック番号の符号間距離が１となるグレーコードにバイナリデータが変換されて前記ウォブルに埋め込まれ、
前記グルーブのアドレス情報は、前記グルーブを形成する内周側ウォブルと外周側ウォブルの位相が同一である同相ウォブルから規定され、
前記ランドのアドレス情報は、前記ランドを形成する内周側ウォブルと外周側ウォブルの位相が同一である同相ウォブルから規定され、
前記グルーブ及びランドのアドレス情報は、それぞれ連続して複数個が重複して形成される
ことを特徴とするディスク。
【請求項４】
グルーブ及びランドをウォブルさせることでアドレス情報を埋め込み、グルーブ及びランドにデータを保持するディスクであって、
前記アドレス情報は、連続する２つのトラック番号の符号間距離が１となるグレーコードにバイナリデータが変換されて前記ウォブルに埋め込まれ、
前記グルーブのアドレス情報は、前記グルーブを形成する内周側ウォブルと外周側ウォブルの位相が同一である同相ウォブル及び内周側ウォブルと外周側ウォブルの位相が反転した逆相ウォブルを含むウォブルから規定され、
前記ランドのアドレス情報は、前記ランドを形成する内周側ウォブルと外周側ウォブルの位相が同一である同相ウォブル及び内周側ウォブルと外周側ウォブルの位相が反転した逆相ウォブルを含むウォブルから規定され、
前記グルーブ及びランドのアドレス情報のうち少なくとも前記同相ウォブルの部分は、それぞれ連続して複数個が重複して形成される
ことを特徴とするディスク。
【請求項５】
グルーブ及びランドをウォブルさせることでアドレス情報を埋め込み、グルーブ及びランドにデータを保持するディスクであって、
前記アドレス情報は、連続する２つのトラック番号の符号間距離が１となるグレーコードにバイナリデータが変換されて前記ウォブルに埋め込まれ、
前記グルーブのアドレス情報は、前記グルーブを形成する内周側ウォブルと外周側ウォブルの位相が同一である同相ウォブルから構成されるグルーブトラックアドレス系及び内周側ウォブルと外周側ウォブルの位相が反転した逆相ウォブルを含んで構成されるランドトラックアドレス系を含み、
前記ランドのアドレス情報は、前記ランドを形成する内周側ウォブルと外周側ウォブルの位相が同一である同相ウォブルから構成されるランドトラックアドレス系及び内周側ウォブルと外周側ウォブルの位相が反転した逆相ウォブルを含んで構成されるグルーブトラックアドレス系を含み、
前記グルーブトラックアドレス系及びランドトラックアドレス系は、それぞれ連続して複数個が重複して形成される
ことを特徴とするディスク。
【請求項６】
グルーブ及びランドをウォブルさせることでアドレス情報が埋め込まれ、かつ、前記アドレス情報は連続する２つのアドレス値の符号間距離が１となるグレーコードに変換されて前記ウォブルに埋め込まれた光ディスクのグルーブ及びランドにデータの記録あるいは再生を行う光ディスク装置であって、
前記アドレス情報は、連続する２つのトラック番号の符号間距離が１となるグレーコードにバイナリデータが変換されて前記ウォブルに埋め込まれ、前記グルーブのアドレス情報は、前記グルーブを形成する内周側ウォブルと外周側ウォブルの位相が同一である同相ウォブルから規定され、かつ、前記グルーブのアドレス情報は、連続して複数個が重複して形成されるものであり、前記装置は、
前記光ディスクにレーザ光を照射しその反射光を受光してウォブル信号を生成するウォブル信号生成手段と、
前記ウォブル信号から前記アドレス情報を復調する手段と、
連続して復調したアドレス情報が互いに一致しているか否かを判定する手段と、
を有し、互いに一致している場合に該アドレス情報を確定することを特徴とする光ディスク装置。
【請求項７】
グルーブ及びランドをウォブルさせることでアドレス情報が埋め込まれ、かつ、前記アドレス情報は連続する２つのアドレス値の符号間距離が１となるグレーコードに変換されて前記ウォブルに埋め込まれた光ディスクのグルーブ及びランドにデータの記録あるいは再生を行う光ディスク装置であって、
前記アドレス情報は、連続する２つのトラック番号の符号間距離が１となるグレーコードにバイナリデータが変換されて前記ウォブルに埋め込まれ、前記ランドのアドレス情報は、前記ランドを形成する内周側ウォブルと外周側ウォブルの位相が同一である同相ウォブルから規定され、かつ、前記ランドのアドレス情報は、連続して複数個が重複して形成されるものであり、前記装置は、
前記光ディスクにレーザ光を照射しその反射光を受光してウォブル信号を生成するウォブル信号生成手段と、
前記ウォブル信号から前記アドレス情報を復調する手段と、
連続して復調したアドレス情報が互いに一致しているか否かを判定する手段と、
を有し、互いに一致している場合に該アドレス情報を確定することを特徴とする光ディスク装置。
【請求項８】
グルーブ及びランドをウォブルさせることでアドレス情報が埋め込まれ、かつ、前記アドレス情報は連続する２つのアドレス値の符号間距離が１となるグレーコードに変換されて前記ウォブルに埋め込まれた光ディスクのグルーブ及びランドにデータの記録あるいは再生を行う光ディスク装置であって、
前記アドレス情報は、連続する２つのトラック番号の符号間距離が１となるグレーコードにバイナリデータが変換されて前記ウォブルに埋め込まれ、前記グルーブのアドレス情報は、前記グルーブを形成する内周側ウォブルと外周側ウォブルの位相が同一である同相ウォブル及び内周側ウォブルと外周側ウォブルの位相が反転した逆相ウォブルを含むウォブルから規定され、前記ランドのアドレス情報は、前記ランドを形成する内周側ウォブルと外周側ウォブルの位相が同一である同相ウォブル及び内周側ウォブルと外周側ウォブルの位相が反転した逆相ウォブルを含むウォブルから規定され、前記グルーブ及びランドのアドレス情報のうち少なくとも前記同相ウォブルの部分は、それぞれ連続して複数個が重複して形成されるものであり、前記装置は、
前記光ディスクにレーザ光を照射しその反射光を受光してウォブル信号を生成するウォブル信号生成手段と、
前記同相ウォブルに対応するウォブル信号から前記アドレス情報を復調する手段と、
連続して復調したアドレス情報が互いに一致しているか否かを判定する手段と、
を有し、互いに一致している場合に該アドレス情報を確定することを特徴とする光ディスク装置。
【請求項９】
グルーブ及びランドをウォブルさせることでアドレス情報が埋め込まれ、かつ、前記アドレス情報は連続する２つのアドレス値の符号間距離が１となるグレーコードに変換されて前記ウォブルに埋め込まれた光ディスクのグルーブ及びランドにデータの記録あるいは再生を行う光ディスク装置であって、
前記アドレス情報は、連続する２つのトラック番号の符号間距離が１となるグレーコードにバイナリデータが変換されて前記ウォブルに埋め込まれ、前記グルーブのアドレス情報は、前記グルーブを形成する内周側ウォブルと外周側ウォブルの位相が同一である同相ウォブルから構成されるグルーブトラックアドレス系及び内周側ウォブルと外周側ウォブルの位相が反転した逆相ウォブルを含んで構成されるランドトラックアドレス系を含み、前記ランドのアドレス情報は、前記ランドを形成する内周側ウォブルと外周側ウォブルの位相が同一である同相ウォブルから構成されるランドトラックアドレス系及び内周側ウォブルと外周側ウォブルの位相が反転した逆相ウォブルを含んで構成されるグルーブトラックアドレス系を含み、前記グルーブトラックアドレス系及びランドトラックアドレス系は、それぞれ連続して複数個が重複して形成されるものであり、前記装置は、
前記光ディスクにレーザ光を照射しその反射光を受光してウォブル信号を生成するウォブル信号生成手段と、
グルーブに対してデータの記録あるいは再生を行う場合には前記グルーブトラックアドレス系に対応するウォブル信号から前記アドレス情報を復調し、ランドに対してデータの記録あるいは再生を行う場合には前記ランドトラックアドレス系に対応するウォブル信号から前記アドレス情報を復調する手段と、
連続して復調したアドレス情報が互いに一致しているか否かを判定する手段と、
を有し、互いに一致している場合に該アドレス情報を確定することを特徴とする光ディスク装置。
【発明の詳細な説明】
【技術分野】
【０００１】
本発明はディスク及び光ディスク装置に関し、特にグルーブ及びランドを用いてデータの記録／再生を行う高密度のディスク及び光ディスク装置に関する。
【背景技術】
【０００２】
従来より、グルーブのみならず、グルーブとランドのいずれにもデータを記録することで高記録密度を達成する光ディスクが知られている。一方、このようにグルーブとランドのいずれにもデータを記録する場合、グルーブとランドのいずれにおいてもアドレスを正確に検出する必要がある。ＤＶＤ−ＲＡＭにおいては、ＣＡＰＡ（Complementary Allocated Pit Address）と呼ばれる方式で特殊な信号をセクタ毎にデータ記録とは時間的に独立して挿入し、この信号を再生することによりアドレスを検出している。具体的には、各セクタの先頭にデータ領域とは独立したアドレス領域（ヘッダ部）を有し、このヘッダ部にデータ領域のグルーブまたはランドに対し、左右にオフセットしてＣＡＰＡ信号を複数挿入しておき、グルーブに対して記録／再生する場合、ランドに対して記録／再生する場合とで異なるＣＡＰＡ信号が検出されることを利用してグルーブ及びランドでアドレスを検出している。
【０００３】
しかしながら、データ部と時間的に独立してアドレス部を有しているため、その分だけ光ディスクのデータ容量が小さくなる問題がある。また、グルーブとＣＡＰＡ信号は一直線上に配列していないので、光ディスクの製造が比較的困難である問題もある。さらに、記録／再生時においてデータ部とヘッダ部でサーボ方式が異なる、あるいはサーボ等のパラメータ最適点が異なる問題もある。
【０００４】
そこで、グルーブのアドレスを記憶するためのウォブルを用いてグルーブのみならずランドのアドレスも確定する技術が提案されている。
【０００５】
例えば、下記に示す従来技術では、グルーブを０度の位相で同相ウォブルさせた場合と１８０度の位相で同相ウォブルさせた場合とでそれぞれ０及び１のデータを記録してアドレス情報を埋め込む際に、２つの隣接グルーブで同相ウォブルとした場合でも２つのグルーブに挟まれたランドでは必ずしも同相ウォブルとならずアドレスを確定できないことに鑑み、アドレスを２つ用意し、いずれかのアドレスでランドのアドレスを確定する技術が記載されている。
【０００６】
図６には、この従来技術に記載されたアドレスフォーマットが示されている。
【０００７】
アドレスには、領域アドレスとトラックアドレス（トラック番号）とがあり、同一方向に配置された各セグメントの領域アドレスは等しい。図６においては、トラックアドレスのみが示されている。Ｇ１、Ｇ２、Ｇ３、・・はグルーブであり、Ｌ１、Ｌ２、Ｌ３、・・・はランドである。トラック番号の小さい方を内周側とし、内周から外周に向けてトラック番号が増大するものとする。Ｇ１におけるトラック番号はｎ＋１、Ｇ２におけるトラック番号はｎ＋２、Ｌ１におけるトラック番号はｎ＋１、Ｌ２におけるトラック番号はｎ＋２である。各グルーブには図７に示されるようにウォブルが形成され、０度の同相ウォブルで「０」が記録され、１８０度の同相ウォブルで「１」が記録される。
【０００８】
Ｇ１、Ｌ１、Ｇ２に着目すると、本来であればＧ１、Ｇ２はトラック番号が異なるため、Ｇ１に形成されるウォブルとＧ２に形成されるウォブルは逆相となり、Ｇ１とＧ２に挟まれたＬ１ではＧ１のウォブルとＧ２のウォブルが互いに１８０度の位相をなすため逆相となり検出できない。そこで、Ａｄｄｒｅｓｓ１ではＧ１とＧ２で同一のトラック番号を付すことで、その間に挟まれたＬ１のウォブルを同相とし、トラック番号ｎ＋１を確定できるようにしている。なお、Ａｄｄｒｅｓｓ２では、Ｇ１にはｎ＋１、Ｇ２にはｎ＋２と本来のトラック番号を付しているため、その間のＬ１はアドレスを検出できず「ＮＧ」となる。
【０００９】
また、Ｇ２、Ｌ２、Ｇ３に着目すると、本来であればＧ２、Ｇ３はトラック番号が異なるため、Ｇ２に形成されるウォブルとＧ３に形成されるウォブルは逆相となり、Ｇ２とＧ３に挟まれたＬ２ではＧ２のウォブルとＧ３のウォブルが互いに１８０度の位相をなすため逆相となり検出できない。そこで、Ａｄｄｒｅｓｓ２ではＧ２とＧ３で同一のトラック番号を付すことで、その間に挟まれたＬ２のウォブルを同相とし、トラック番号ｎ＋２を確定できるようにしている。この場合、Ａｄｄｒｅｓｓ１ではＬ２のアドレスを検出できず「ＮＧ」となる。
【００１０】
なお、アドレスデータをウォブルとしてディスクに記録する場合、２進データ（バイナリデータ）をグレーコードに変換して記録する。ここに、グレーコードとは、隣接する２進データの間の符号間距離、すなわち反転ビット数を１にするものである。
【００１１】
図８には、２進データをグレーコードに変換するためのグレーコード変換器２が示されており、図９には、アドレスとグレーコードとの関係が示されている。グレーコード変換器２は、複数のＥＸ−ＯＲ（排他的論理和）ゲート１を含んで構成される。例えばアドレスが８ビットである場合、最下位ビットＬＳＢと次の下位ビットとのＥＸ−ＯＲが演算されてグレーコードの最下位ビットＬＳＢとなる。以下、同様にしてアドレスの隣接ビット同士のＥＸ−ＯＲが演算されてグレーコードに変換される。アドレスの最上位ビットＭＳＢはそのまま維持されてグレーコードとなる。排他的論理和では、２入力が同一であれば出力は０となり、２入力が異なれば出力は１となる。したがって、例えばアドレスの２進データ（バイナリデータ）が「００００００００」であればグレーコードは「００００００００」となり、２進データが「０００００００１」であればグレーコードは「０００００００１」、２進データが「００００００１０」であればグレーコードは「００００００１１」となる。図９から分かるように、連続する２つのアドレス値の間のグレーコードの符号間距離は常に１である。
【００１２】
【特許文献１】特開平１０−３１２５４１号公報
【発明の開示】
【発明が解決しようとする課題】
【００１３】
このように、２つのアドレスを形成することでグルーブトラックアドレスとランドトラックアドレスを確定することが可能であるが、その一方で例えばグルーブトラックアドレスを確定する際に、検出されたグルーブトラックアドレスに読み取りエラーが生じている場合には正しくアドレスを確定することができない。
【００１４】
一般に、データ読み取りエラーを検出するためにパリティビットを付加するパリティチェックが用いられているが、この技術をそのままアドレスに適用することは望ましくない。その理由は、新たに付加されたパリティビットによりグレーコードの符号間距離が１ではなくなり（パリティビットの存在により符号間距離が増大する）、グレーコードの利点が失われるからである。
【００１５】
本発明の目的は、パリティビットを付加することなく、トラックアドレスのエラーを検出することができるディスク及び光ディスク装置を提供することにある。
【課題を解決するための手段】
【００１６】
本発明は、グルーブ及びランドをウォブルさせることでアドレス情報を埋め込み、グルーブ及びランドにデータを保持するディスクであって、前記アドレス情報は、連続する２つのトラック番号の符号間距離が１となるグレーコードにバイナリデータが変換されて前記ウォブルに埋め込まれ、前記グルーブのアドレス情報は、前記グルーブを形成する内周側ウォブルと外周側ウォブルの位相が同一である同相ウォブルから規定され、かつ、前記グルーブのアドレス情報は、連続して複数個が重複して形成される。グルーブのアドレス情報を連続して複数個、例えば２個を重複形成することで、これらを復調したときに互いに一致しているか否かを判定することで、復調したアドレス情報のエラーを検出できる。すなわち、元々重複形成されているため、互いに一致していればエラーはなく、一致しない場合には復調エラーが生じたと判定できる。
【００１７】
また、本発明は、グルーブ及びランドをウォブルさせることでアドレス情報を埋め込み、グルーブ及びランドにデータを保持するディスクであって、前記アドレス情報は、連続する２つのトラック番号の符号間距離が１となるグレーコードにバイナリデータが変換されて前記ウォブルに埋め込まれ、前記ランドのアドレス情報は、前記ランドを形成する内周側ウォブルと外周側ウォブルの位相が同一である同相ウォブルから規定され、かつ、前記ランドのアドレス情報は、連続して複数個が重複して形成される。ランドのアドレス情報を連続して複数個を重複形成することで、これらを復調したときに互いに一致しているか否かを判定することで、復調したアドレス情報のエラーを検出できる。
【００１８】
また、本発明は、グルーブ及びランドをウォブルさせることでアドレス情報を埋め込み、グルーブ及びランドにデータを保持するディスクであって、前記アドレス情報は、連続する２つのトラック番号の符号間距離が１となるグレーコードにバイナリデータが変換されて前記ウォブルに埋め込まれ、前記グルーブのアドレス情報は、前記グルーブを形成する内周側ウォブルと外周側ウォブルの位相が同一である同相ウォブルから規定され、前記ランドのアドレス情報は、前記ランドを形成する内周側ウォブルと外周側ウォブルの位相が同一である同相ウォブルから規定され、前記グルーブ及びランドのアドレス情報は、それぞれ連続して複数個が重複して形成される。グルーブ及びランドのアドレス情報をそれぞれ連続して複数個を重複形成することで、これらを復調したときに互いに一致しているか否かを判定することで、復調したアドレス情報のエラーを検出できる。
【００１９】
また、本発明は、グルーブ及びランドをウォブルさせることでアドレス情報を埋め込み、グルーブ及びランドにデータを保持するディスクであって、前記アドレス情報は、連続する２つのトラック番号の符号間距離が１となるグレーコードにバイナリデータが変換されて前記ウォブルに埋め込まれ、前記グルーブのアドレス情報は、前記グルーブを形成する内周側ウォブルと外周側ウォブルの位相が同一である同相ウォブル及び内周側ウォブルと外周側ウォブルの位相が反転した逆相ウォブルを含むウォブルから規定され、前記ランドのアドレス情報は、前記ランドを形成する内周側ウォブルと外周側ウォブルの位相が同一である同相ウォブル及び内周側ウォブルと外周側ウォブルの位相が反転した逆相ウォブルを含むウォブルから規定され、前記グルーブ及びランドのアドレス情報のうち少なくとも前記同相ウォブルの部分は、それぞれ連続して複数個が重複して形成される。本発明によっても、ウォブル信号からアドレス情報を得ることができる同相ウォブル部分を連続して複数個を重複形成することで、これらを復調したときに互いに一致しているか否かを判定することで、復調したアドレス情報のエラーを検出できる。
【００２０】
また、本発明は、グルーブ及びランドをウォブルさせることでアドレス情報を埋め込み、グルーブ及びランドにデータを保持するディスクであって、前記アドレス情報は、連続する２つのトラック番号の符号間距離が１となるグレーコードにバイナリデータが変換されて前記ウォブルに埋め込まれ、前記グルーブのアドレス情報は、前記グルーブを形成する内周側ウォブルと外周側ウォブルの位相が同一である同相ウォブルから構成されるグルーブトラックアドレス系及び内周側ウォブルと外周側ウォブルの位相が反転した逆相ウォブルを含んで構成されるランドトラックアドレス系を含み、前記ランドのアドレス情報は、前記ランドを形成する内周側ウォブルと外周側ウォブルの位相が同一である同相ウォブルから構成されるランドトラックアドレス系及び内周側ウォブルと外周側ウォブルの位相が反転した逆相ウォブルを含んで構成されるグルーブトラックアドレス系を含み、前記グルーブトラックアドレス系及びランドトラックアドレス系は、それぞれ連続して複数個が重複して形成される。グルーブに対して記録／再生する場合には、同相ウォブルであるグルーブトラックアドレス系からアドレス情報を得ることができ、ランドに対して記録／再生する場合には、同相ウォブルであるランドトラックアドレス系からアドレス情報を得ることができるので、同相ウォブル部分を連続して複数個を重複形成することで、これらを復調したときに互いに一致しているか否かを判定することで復調したアドレス情報のエラーを検出できる。
【００２１】
また、本発明は、上記のようなディスクに対してデータの記録あるいは再生を行う光ディスク装置を提供する。本発明の光ディスク装置は、グルーブ及びランドをウォブルさせることでアドレス情報が埋め込まれ、かつ、前記アドレス情報は連続する２つのアドレス値の符号間距離が１となるグレーコードに変換されて前記ウォブルに埋め込まれた光ディスクのグルーブ及びランドにデータの記録あるいは再生を行う光ディスク装置であって、
前記アドレス情報は、連続する２つのトラック番号の符号間距離が１となるグレーコードにバイナリデータが変換されて前記ウォブルに埋め込まれ、前記グルーブのアドレス情報は、前記グルーブを形成する内周側ウォブルと外周側ウォブルの位相が同一である同相ウォブルから規定され、かつ、前記グルーブのアドレス情報は、連続して複数個が重複して形成されるものであり、前記装置は、前記光ディスクにレーザ光を照射しその反射光を受光してウォブル信号を生成するウォブル信号生成手段と、前記ウォブル信号から前記アドレス情報を復調する手段と、連続して復調したアドレス情報が互いに一致しているか否かを判定する手段とを有し、互いに一致している場合に該アドレス情報を確定する。
【００２２】
また、本発明の光ディスク装置は、グルーブ及びランドをウォブルさせることでアドレス情報が埋め込まれ、かつ、前記アドレス情報は連続する２つのアドレス値の符号間距離が１となるグレーコードに変換されて前記ウォブルに埋め込まれた光ディスクのグルーブ及びランドにデータの記録あるいは再生を行う光ディスク装置であって、前記アドレス情報は、連続する２つのトラック番号の符号間距離が１となるグレーコードにバイナリデータが変換されて前記ウォブルに埋め込まれ、前記ランドのアドレス情報は、前記ランドを形成する内周側ウォブルと外周側ウォブルの位相が同一である同相ウォブルから規定され、かつ、前記ランドのアドレス情報は、連続して複数個が重複して形成されるものであり、前記装置は、前記光ディスクにレーザ光を照射しその反射光を受光してウォブル信号を生成するウォブル信号生成手段と、前記ウォブル信号から前記アドレス情報を復調する手段と、連続して復調したアドレス情報が互いに一致しているか否かを判定する手段とを有し、互いに一致している場合に該アドレス情報を確定する。
【００２３】
また、本発明の光ディスク装置は、グルーブ及びランドをウォブルさせることでアドレス情報が埋め込まれ、かつ、前記アドレス情報は連続する２つのアドレス値の符号間距離が１となるグレーコードに変換されて前記ウォブルに埋め込まれた光ディスクのグルーブ及びランドにデータの記録あるいは再生を行う光ディスク装置であって、前記アドレス情報は、連続する２つのトラック番号の符号間距離が１となるグレーコードにバイナリデータが変換されて前記ウォブルに埋め込まれ、前記グルーブのアドレス情報は、前記グルーブを形成する内周側ウォブルと外周側ウォブルの位相が同一である同相ウォブル及び内周側ウォブルと外周側ウォブルの位相が反転した逆相ウォブルを含むウォブルから規定され、前記ランドのアドレス情報は、前記ランドを形成する内周側ウォブルと外周側ウォブルの位相が同一である同相ウォブル及び内周側ウォブルと外周側ウォブルの位相が反転した逆相ウォブルを含むウォブルから規定され、前記グルーブ及びランドのアドレス情報のうち少なくとも前記同相ウォブルの部分は、それぞれ連続して複数個が重複して形成されるものであり、前記装置は、前記光ディスクにレーザ光を照射しその反射光を受光してウォブル信号を生成するウォブル信号生成手段と、前記同相ウォブルに対応するウォブル信号から前記アドレス情報を復調する手段と、連続して復調したアドレス情報が互いに一致しているか否かを判定する手段とを有し、互いに一致している場合に該アドレス情報を確定する。
【００２４】
また、本発明の光ディスク装置は、グルーブ及びランドをウォブルさせることでアドレス情報が埋め込まれ、かつ、前記アドレス情報は連続する２つのアドレス値の符号間距離が１となるグレーコードに変換されて前記ウォブルに埋め込まれた光ディスクのグルーブ及びランドにデータの記録あるいは再生を行う光ディスク装置であって、前記アドレス情報は、連続する２つのトラック番号の符号間距離が１となるグレーコードにバイナリデータが変換されて前記ウォブルに埋め込まれ、前記グルーブのアドレス情報は、前記グルーブを形成する内周側ウォブルと外周側ウォブルの位相が同一である同相ウォブルから構成されるグルーブトラックアドレス系及び内周側ウォブルと外周側ウォブルの位相が反転した逆相ウォブルを含んで構成されるランドトラックアドレス系を含み、前記ランドのアドレス情報は、前記ランドを形成する内周側ウォブルと外周側ウォブルの位相が同一である同相ウォブルから構成されるランドトラックアドレス系及び内周側ウォブルと外周側ウォブルの位相が反転した逆相ウォブルを含んで構成されるグルーブトラックアドレス系を含み、前記グルーブトラックアドレス系及びランドトラックアドレス系は、それぞれ連続して複数個が重複して形成されるものであり、前記装置は、前記光ディスクにレーザ光を照射しその反射光を受光してウォブル信号を生成するウォブル信号生成手段と、グルーブに対してデータの記録あるいは再生を行う場合には前記グルーブトラックアドレス系に対応するウォブル信号から前記アドレス情報を復調し、ランドに対してデータの記録あるいは再生を行う場合には前記ランドトラックアドレス系に対応するウォブル信号から前記アドレス情報を復調する手段と、連続して復調したアドレス情報が互いに一致しているか否かを判定する手段とを有し、互いに一致している場合に該アドレス情報を確定する。
【発明の効果】
【００２５】
本発明によれば、簡易かつ確実に復調したトラックアドレスのエラーを検出することができる。
【発明を実施するための最良の形態】
【００２６】
以下、図面に基づき本発明の実施形態について説明する。
【００２７】
図１には、本実施形態に係る光ディスク装置の全体構成図が示されている。光ディスク１０はスピンドルモータ（ＳＰＭ）１２により回転駆動される。スピンドルモータＳＰＭ１２は、ドライバ１４で駆動され、ドライバ１４はサーボプロセッサ３０により所望の回転速度となるようにサーボ制御される。本実施形態では、一例として、ドライバ１４は光ディスク１０を内周から外周の間で複数のゾーンに分割し、各ゾーンにおいて角速度一定（ＺＣＡＶ）となるように駆動する。
【００２８】
光ピックアップ１６は、レーザ光を光ディスク１０に照射するためのレーザダイオード（ＬＤ）や光ディスク１０からの反射光を受光して電気信号に変換するフォトディテクタ（ＰＤ）を含み、光ディスク１０に対向配置される。光ピックアップ１６はスレッドモータ１８により光ディスク１０の半径方向に駆動され、スレッドモータ１８はドライバ２０で駆動される。ドライバ２０は、ドライバ１４と同様にサーボプロセッサ３０によりサーボ制御される。また、光ピックアップ１６のＬＤはドライバ２２により駆動され、ドライバ２２はオートパワーコントロール回路（ＡＰＣ）２４により駆動電流が所望の値となるように制御される。ＡＰＣ２４は、光ディスク１０のテストエリア（ＰＣＡ）において実行されたＯＰＣ（Optimum Power Control）により選択された最適記録パワーとなるようにドライバ２２の駆動電流を制御する。ＯＰＣは、光ディスク１０のＰＣＡに記録パワーを複数段に変化させてテストデータを記録し、該テストデータを再生してその信号品質を評価し、所望の信号品質が得られる記録パワーを選択する処理である。信号品質には、β値やγ値、変調度、ジッタ等が用いられる。
【００２９】
光ディスク１０に記録されたデータを再生する際には、光ピックアップ１６のＬＤから再生パワーのレーザ光が照射され、その反射光がＰＤで電気信号に変換されて出力される。光ピックアップ１６からの再生信号はＲＦ回路２６に供給される。ＲＦ回路２６は、再生信号からフォーカスエラー信号やトラッキングエラー信号を生成し、サーボプロセッサ３０に供給する。サーボプロセッサ３０は、これらのエラー信号に基づいて光ピックアップ１６をサーボ制御し、光ピックアップ１６をオンフォーカス状態及びオントラック状態に維持する。
【００３０】
光ピックアップ１６は、光ディスク１０のグルーブ及びランドに対して記録／再生を行う。光ディスク１０には螺旋状にグルーブが形成されており、例えばグルーブ１→ランド１→グルーブ２→ランド２→グルーブ３→ランド３→・・等とグルーブとランド間で交互にデータを記録／再生する。あるいは、ゾーン毎にグルーブのみ記録／再生した後にランドに記録／再生する等、ゾーン毎にゾーン内のグルーブを全て記録／再生した後に同一ゾーン内のランドを記録／再生してもよい。また、ＲＦ回路２６は、再生信号に含まれるアドレス信号をアドレスデコード回路２８に供給する。アドレスデコード回路２８はアドレス信号から光ディスク１０のアドレスデータを復調し、サーボプロセッサ３０やシステムコントローラ３２に供給する。アドレスデータは、光ディスク１０のグルーブ及びランドにウォブルとして埋め込まれる。光ディスク１０は、アドレスデータとして、領域アドレス及びトラックアドレスを含む。アドレスデータは、図９に示されるようなグレーコードとして光ディスク１０に形成される。
【００３１】
本実施形態における光ディスク１０のアドレスフォーマットは、２つのアドレス系から構成される。一方のアドレス系でグルーブトラックアドレスを常に検出し（これをグルーブ（Ｇ）トラックアドレス系と称する）、他方のアドレス系でランドトラックアドレスを常に検出する（これをランド（Ｌ）トラックアドレス系と称する）。グルーブトラックにはＧトラックアドレス系とＬトラックアドレス系が形成され、ランドトラックにもＧトラックアドレス系とＬトラックアドレス系が形成される。グルーブトラックにおけるＧトラックアドレス系、及びランドトラックにおけるＬトラックアドレス系では常にウォブルが同相ウォブルとなるように調整されているためアドレスを検出できる。
【００３２】
ＲＦ回路２６は、再生ＲＦ信号を２値化回路３４に供給する。２値化回路３４は、再生信号を２値化し、得られたＥＦＭ信号（ＣＤディスク）あるいは８−１６変調信号（ＤＶＤディスク）をエンコード／デコード回路３６に供給する。エンコード／デコード回路３６では、２値化信号を復調及びエラー訂正して再生データを得、当該再生データをインタフェースＩ／Ｆ４０を介してパーソナルコンピュータなどのホスト装置に出力する。なお、再生データをホスト装置に出力する際には、エンコード／デコード回路３６はバッファメモリ３８に再生データを一旦蓄積した後に出力する。
【００３３】
光ディスク１０にデータを記録する際には、ホスト装置からの記録すべきデータはインターフェースＩ／Ｆ４０を介してエンコード／デコード回路３６に供給される。エンコード／デコード回路３６は、記録すべきデータをバッファメモリ３８に格納し、当該記録すべきデータをエンコードして変調データとしてライトストラテジ回路４２に供給する。ライトストラテジ回路４２は、変調データを所定の記録ストラテジに従ってマルチパルス（パルストレーン）に変換し、記録データとしてドライバ２２に供給する。記録ストラテジは、例えばマルチパルスにおける先頭パルスのパルス幅や後続パルスのパルス幅、パルスデューティから構成される。記録ストラテジは記録品質に影響することから、通常はある最適ストラテジに固定される。ＯＰＣ時に記録ストラテジを併せて設定してもよい。記録データによりパワー変調されたレーザ光は光ピックアップ１６のＬＤから照射されて光ディスク１０にデータが記録される。データを記録した後、光ピックアップ１６は再生パワーのレーザ光を照射して当該記録データを再生し、ＲＦ回路２６に供給する。ＲＦ回路２６は再生信号を２値化回路３４に供給し、２値化されたデータはエンコード／デコード回路３６に供給される。エンコード／デコード回路３６は、変調データをデコードし、バッファメモリ３８に記憶されている記録データと照合する。ベリファイの結果はシステムコントローラ３２に供給される。システムコントローラ３２はベリファイの結果に応じて引き続きデータを記録するか、あるいは交替処理を実行するかを決定する。
【００３４】
図２には、本実施形態における光ディスク１０に形成されるアドレス情報の基本形が示されている。なお、アドレス情報のうちの領域アドレスは「セグメント」（セグメント情報の意）として示されている。
【００３５】
図において、グルーブＮにはＧトラックアドレス系とＬトラックアドレス系が形成され、グルーブＮに隣接するランドＮにもＧトラックアドレス系とＬトラックアドレス系が形成されている。グルーブＮのＧトラックアドレス系では内周側ウォブルと外周側ウォブルの位相が一致している同相であり、ウォブル信号からそのアドレス情報を検出することができる。一方、グルーブＮのＬトラックアドレス系では内周側ウォブルと外周側ウォブルが反転した逆相ウォブルを含むため、ウォブル信号の振幅を検出できずアドレスが不定となってＮＧとなる。ランドＮのＧトラックアドレス系ではウォブルが逆相ウォブルを含むためアドレスが不定となるが、Ｌトラックアドレス系ではウォブルが同相となってウォブル信号からアドレス情報を検出することができる。ランドＮのＧトラックアドレス系が図中空欄となっているのは、ウォブルが逆相となって不定であることを示す。ランドＮのＧトラックアドレス系を規定する内周側ウォブルはグルーブＮのＧトラックアドレス系の外周側ウォブルであり、ランドＮのＧトラックアドレス系を規定する外周側ウォブルはグルーブＮ＋１のＧトラックアドレス系の内周側ウォブルであり、グルーブＮのＧトラックアドレス系及びグルーブＮ＋１のＧトラックアドレス系は常に同相となるように形成されるから、これらのグルーブに挟まれたランドＮのＧトラックアドレス系では逆相となり得ることが理解されよう。グルーブＮのＬトラックアドレス系についても同様であり、図中空欄となっているのはこのような理由による。グルーブＮ＋１、ランドＮ＋１についても同様である。
【００３６】
一方、グルーブＮのＧトラックアドレス系やランドＮのＬトラックアドレス系はグレーコードであり、パリティビットが付加されていない。したがって、グルーブＮのＧトラックアドレス系から検出されたアドレス情報が正確なものか否かをパリティチェックで判定することはできない。ランドＮのＬトラックアドレス系についても同様であり、パリティチェックによるエラー判定ができない。
【００３７】
そこで、本実施形態では、図２に示されるようにグルーブ及びランドにそれぞれＧトラックアドレス系とＬトラックアドレス系を冗長形成するとともに、さらにＧトラックアドレス系及びＬトラックアドレス系を複数（本実施形態では２個）、重複して形成する。重複形成されるこれらのアドレス情報は完全に同一のものであり、したがって隣接する符号間の距離は１のままである。
【００３８】
図３には、図２に示されたグルーブＮのアドレス系が示されている。ウォブルが同相のＧトラックアドレス系１００と、ウォブルが逆相となる部分を含むＬトラックアドレス系２００を含む。Ｇトラックアドレス系１００及びＬトラックアドレス系２００は、例えばそれぞれ１２ビットのグレーコードで構成される。
【００３９】
一方、図４には、本実施形態のグルーブＮのアドレス系が示されている。グルーブＮのＧトラックアドレス系は第１Ｇトラックアドレス系１００ａとこれに続く第２Ｇトラックアドレス系１００ｂから構成される。第１Ｇトラックアドレス系のグレーコード（トラック番号）と第２Ｇトラックアドレス系のグレーコード（トラック番号）は同一であり、例えば第１Ｇトラックアドレス系のグレーコードが「００００００００１０００」であれば、第２Ｇトラックアドレス系のグレーコードも「００００００００１０００」である。Ｌトラックアドレス系についても同様であり、第１Ｌトラックアドレス系２００ａと第２Ｌトラックアドレス系２００ｂから構成され、これらは同一である。なお、グルーブＮにおいてはＬトラックアドレス系は不定となるため本来的に２つのアドレス系を設ける必要はないが、グルーブＮに隣接するランドＮ−１及びランドＮにおいてはＬトラックアドレス系を重畳して設ける必要があるためそれに対応して２個設けられている。グルーブＮにおいてデータの記録／再生を行う際、ウォブル信号から第１Ｇトラックアドレス系１００ａからグレーコードを検出してこれを２進アドレスデータに逆変換し、さらに第２Ｇトラックアドレス系１００ｂからグレーコードを検出してこれを２進アドレスデータに逆変換し、両アドレスデータを比較する。両アドレスは本来的に同一データであるため、検出されたアドレスデータが一致する場合にはエラーがなく正しいアドレスであると判定できる。
【００４０】
図５には、本実施形態のエラー検出処理フローチャートが示されている。まず、データを記録／再生すべきトラックがグルーブトラックかランドトラックかを判定する（Ｓ１０１）。なお、グルーブとランドのいずれを使用するかはシステムコントローラ３２が予め設定しておく（例えば、グルーブとランドを交互に使用する、光ディスク１０を複数のゾーンに分割し、あるゾーン内において全てのグルーブについて使用した後にランドを使用する等）。グルーブに対してデータの記録／再生を行う場合、ウォブル信号から第１Ｇトラックアドレス系１００ａと第２Ｇトラックアドレス系１００ｂを連続して検出する（Ｓ１０２）。一方、ランドに対してデータの記録／再生を行う場合、ウォブル信号から第１Ｌトラックアドレス系２００ａ及び第２Ｌトラックアドレス系２００ｂを連続して検出する（Ｓ１０３）。重複する２つのアドレス情報を検出した後、システムコントローラ３２はこれら２つのアドレス情報を比較して一致するか否かを判定する（Ｓ１０４）。この処理は、連続して検出されたアドレス情報が互いに重複しているか否かを判定すると表現することもできる。両アドレス情報が一致する場合には、検出アドレス情報にはエラーがないと判定してアドレス情報を確定する（Ｓ１０５）。両アドレス情報が一致しない場合、システムコントローラ３２は検出アドレス情報にエラーが生じたと判定し（Ｓ１０６）、所定のエラー処理を実行する。
【００４１】
なお、Ｓ１０４で両アドレス情報を比較する場合、グレーコードレベルで比較してもよく、グレーコードを逆変換して得られた２進アドレスレベルで比較してもよい。
【００４２】
このように、本実施形態では、パリティビット（例えば偶数パリティ）を付加するのではなく、Ｇトラックアドレス系及びＬトラックアドレス系についてそれぞれ連続して複数個設け、これらが互いに一致するか否かによりエラーの有無を判定することができる。
【００４３】
なお、本実施形態では、Ｇトラックアドレス系及びＬトラックアドレス系をそれぞれ連続して２個設けているが、必要に応じて３個あるいはそれ以上設けてもよい。但し、必要以上に重複させることは適当ではなく、２個が好適である。
【図面の簡単な説明】
【００４４】
【図１】実施形態に係る光ディスク装置の全体構成図である。
【図２】光ディスクのアドレス系の基本構成図である。
【図３】図２におけるグルーブＮのアドレス系構成図である。
【図４】実施形態のグルーブＮのアドレス系構成図である。
【図５】実施形態のエラー判定処理フローチャートである。
【図６】従来のアドレスフォーマット説明図である。
【図７】グルーブ及びランドのウォブル説明図である。
【図８】グレーコード変換器の説明図である。
【図９】アドレス値とグレーコードとの対応関係を示す説明図である。
【符号の説明】
【００４５】
１０  光ディスク、１６  光ピックアップ、２８  アドレスデコード回路、３２  システムコントローラ。
【図１】
2005108349.tif 000003
【図２】
2005108349.tif 000004
【図３】
2005108349.tif 000005
【図４】
2005108349.tif 000006
【図５】
2005108349.tif 000007
【図６】
2005108349.tif 000008
【図７】
2005108349.tif 000009
【図８】
2005108349.tif 000010
【図９】
2005108349.tif 000011